(57)【要約】【課題】  従来の電磁誘導加熱調理器は、容器外底面の複数の凹凸加工により発生する細かい対流は隣どおしで相互に打ち消しあい、大きな対流を発生させるまでは至らず、米の下層部と上層部に加熱ムラが生じ炊きムラが残ってしまう課題があった。【解決手段】  本体１と、本体１内に着脱自在に収納され、食品を加熱調理する鍋状容器５と、本体１の下部に配置され、鍋状容器５に渦電流を誘起して鍋状容器５を加熱する加熱コイル３とを備える電磁誘導加熱式調理器において、鍋状容器５は、炭素９５％〜１００％の焼結体を基材として構成したことを特徴とする。【選択図】  図１
2006095283.tif 000002
【特許請求の範囲】
【請求項１】
本体と、前記本体内に着脱自在に収納され、食品を加熱調理する鍋状容器と、前記本体の下部に配置され、前記鍋状容器に渦電流を誘起して前記鍋状容器を加熱する加熱コイルとを備える電磁誘導加熱式調理器において、
前記鍋状容器は、炭素９５％〜１００％の焼結体を基材として構成したことを特徴とする電磁誘導加熱調理器。
【請求項２】
前記鍋状容器は、４ｍｍ〜１０ｍｍの厚さで構成したことを特徴とする請求項１記載の電磁誘導加熱調理器。
【請求項３】
前記鍋状容器の鍋内底部で且つ前記加熱コイルと対向した位置に、突起部を形成したことを特徴とする請求項１記載の電磁誘導加熱調理器。
【請求項４】
前記突起部は、前記鍋状容器の鍋底形状と略相似形を有することを特徴とする請求項３記載の電磁誘導加熱調理器。
【請求項５】
前記突起部は、リング状に形成された連続凸部もしくはリング状に配置された複数の独立凸部であることを特徴とする請求項３又は請求項４記載の電磁誘導加熱調理器。
【請求項６】
前記鍋状容器の鍋外底部で前記加熱コイルと対向した位置に、溝部を形成したことを特徴とする請求項１記載の電磁誘導加熱調理器。
【請求項７】
前記溝部は、前記鍋状容器の鍋底形状と略相似形を有することを特徴とする請求項６記載の電磁誘導加熱調理器。
【請求項８】
前記溝部は、リング状に形成された連続凹部もしくはリング状に配置された複数の独立凹部であることを特徴とする請求項６又は請求項７記載の電磁誘導加熱調理器。
【請求項９】
本体と、前記本体内に着脱自在に収納され、食品を加熱調理する鍋状容器と、前記本体の下部に配置され、前記鍋状容器に渦電流を誘起して前記鍋状容器を加熱する加熱コイルとを備える電磁誘導加熱式調理器において、
前記鍋状容器の鍋内底部に着脱自在に配設されたプレートを備え、
前記プレートは、炭素を包含した焼結体を基材として構成したことを特徴とする電磁誘導加熱調理器。
【請求項１０】
前記プレートは、前記鍋状容器の鍋底形状と略相似形を有し、プレート周縁が前記加熱コイルと対向した位置に配設したことを特徴とする請求項９記載の電磁誘導加熱調理器。
【請求項１１】
前記プレートは、下面が開放した有底筒形状で形成され、且つ周壁部には、複数の連通孔が形成されたことを特徴とする請求項９又は請求項１０記載の電磁誘導加熱調理器。
【請求項１２】
本体と、前記本体内に支持体を介して着脱自在に収納され、食品を加熱調理する鍋状容器と、前記本体の下部に配置され、前記鍋状容器に渦電流を誘起して前記鍋状容器を加熱する加熱コイルとを備える電磁誘導加熱式調理器において、
前記鍋状容器は、厚さ１ｍｍ〜２ｍｍの磁性金属鍋と、厚さ４ｍｍ〜１０ｍｍの炭素焼結鍋とを有し、前記本体は、これらの鍋を選択的に収納可能なことを特徴とする電磁誘導加加熱調理器。
【請求項１３】
前記本体の上部に設けられ、外蓋と内蓋の二重構造を有する蓋体と、
前記外蓋と前記内蓋との間隙に配設され、前記内蓋を前記鍋状容器に押圧する弾性体とを備え、
前記弾性体が前記内蓋を下方に押圧することにより、厚さの異なる磁性金属鍋と炭素焼結鍋とのいずれが収納された場合でも、前記鍋状容器内の密閉構造を維持することを特徴とする請求項１２記載の電磁誘導加熱調理器。
【請求項１４】
前記磁性金属鍋と前記炭素焼結鍋の高さを同一に形成すると共に、前記支持体は複数の凸部を有し、
前記炭素焼結鍋のフランジ部には、複数の前記凸部と当接する位置に切り欠きが形成されたことを特徴とする請求項１２又は請求項１３記載の電磁誘導加熱調理器。
【請求項１５】
前記炭素焼結鍋に対応した第１の炊飯スイッチと、
前記磁性金属鍋に対応した第２の炊飯スイッチと、
前記第１の炊飯スイッチが押圧された場合に、前記第２の炊飯スイッチが押圧された場合に比べて高い駆動周波数で、前記鍋状容器を誘導加熱する制御部とを備えることを特徴とする請求項１２から請求項１４のいずれか一項に記載の電磁誘導加熱調理器。
【請求項１６】
前記磁性金属鍋と前記炭素焼結鍋のいずれか一方を選択する選択スイッチと、
前記選択スイッチによって炭素焼結鍋が選択された場合に、前記選択スイッチによって磁性金属鍋が選択された場合に比べて高い駆動周波数で、前記鍋状容器を誘導加熱する制御部とを備えることを特徴とする請求項１２から請求項１４のいずれか一項に記載の電磁誘導加熱調理器。
【請求項１７】
前記磁性金属鍋と前記炭素焼結鍋のいずれが前記本体に収納されたか判定する鍋判定手段と、
前記鍋判定手段によって炭素焼結鍋と判定した場合に、前記鍋判定手段によって磁性金属鍋と判定した場合に比べて高い駆動周波数で、前記鍋状容器を誘導加熱する制御部とを備えることを特徴とする請求項１２から請求項１４のいずれか一項に記載の電磁誘導加熱調理器。
【請求項１８】
前記鍋判定手段は、一定の駆動周波数で動作させた時のコイル電流の違いによって鍋種を判定することを特徴とする請求項１７記載の電磁誘導加熱調理器。
【請求項１９】
前記制御部は、前記炭素焼結鍋の場合に、前記磁性金属鍋の場合に比べて１．５〜２倍の駆動周波数で、前記鍋状容器を誘導加熱することを特徴とする請求項１５から請求項１８のいずれか一項に記載の電磁誘導加熱調理器。
【請求項２０】
本体と、前記本体内に着脱自在に収納され、食品を加熱調理する鍋状容器と、前記本体の下部に配置され、前記鍋状容器に渦電流を誘起して前記鍋状容器を加熱する加熱コイルとを備える電磁誘導加熱式調理器において、
前記鍋状容器は、磁性金属の外層と炭素焼結材の内層とを有する多層クラッド材で構成したことを特徴とする電磁誘導加熱調理器。
【請求項２１】
本体と、前記本体内に着脱自在に収納され、食品を加熱調理する鍋状容器と、前記本体の下部に配置され、前記鍋状容器に渦電流を誘起して前記鍋状容器を加熱する加熱コイルとを備える電磁誘導加熱式調理器において、
前記鍋状容器は、磁性金属の外層と炭素焼結材の内層とを有する多層クラッド材で底部を構成すると共に、磁性金属で側部を構成したことを特徴とする電磁誘導加熱調理器。
【請求項２２】
前記外層の厚さを０．４〜１．０ｍｍとすると共に、前記内層の厚さを、前記外層の厚さに比べて略１／２倍〜３倍としたことを特徴とする電磁誘導加熱調理器。
【請求項２３】
本体と、前記本体内に着脱自在に収納され、食品を加熱調理する鍋状容器と、前記本体の下部に配置され、前記鍋状容器に渦電流を誘起して前記鍋状容器を加熱する加熱コイルとを備える電磁誘導加熱式調理器において、
前記鍋状容器は、炭素焼結材で底部を構成すると共に、磁性金属で側部を構成したことを特徴とする電磁誘導加熱調理器。
【請求項２４】
本体と、前記本体内に着脱自在に収納され、食品を加熱調理する鍋状容器と、前記本体の下部に配置され、前記鍋状容器に渦電流を誘起して前記鍋状容器を加熱する加熱コイルとを備える電磁誘導加熱式調理器において、
前記鍋状容器は、プラスチック材の外層と炭素焼結材の内層とを有する多層クラッド材で構成したことを特徴とする電磁誘導加熱調理器。
【請求項２５】
本体と、前記本体内に着脱自在に収納され、食品を加熱調理する鍋状容器と、前記本体の下部に配置され、前記鍋状容器に渦電流を誘起して前記鍋状容器を加熱する加熱コイルとを備える電磁誘導加熱式調理器において、
前記鍋状容器内の圧力を調整する調圧手段と、
前記調圧手段を調整して、前記鍋状容器内を減圧させる制御手段とを備えることを特徴とする電磁誘導加熱調理器。
【請求項２６】
前記調圧手段は、前記鍋状容器内外の圧力を調整する調圧弁を有し、
前記制御手段は、前記鍋状容器内が所定温度に上昇した場合に、前記調圧弁を閉じ、前記鍋状容器内の温度を降下させるよう加熱量を制御することを特徴とする請求項２５記載の電磁誘導加熱調理器。
【請求項２７】
本体と、前記本体内に支持体を介して着脱自在に収納され、食品を加熱調理する鍋状容器と、前記本体の下部に配置され、前記鍋状容器に渦電流を誘起して前記鍋状容器を加熱する加熱コイルとを備える電磁誘導加熱式調理器において、
前記鍋状容器は、上縁にフランジ部が設けられた、厚さの異なる複数の鍋を有すると共に、これらの鍋を前記本体に選択的に収納可能であり、
前記支持体の上端部には、前記フランジ部を下方から押圧して、前記鍋状容器の回動を抑止するストッパーが設けられていることを特徴とする電磁誘導加加熱調理器。
【請求項２８】
前記ストッパーの上部には、前記フランジ部を押圧する滑り止め部材が設けられていることを特徴とする請求項２７記載の電磁誘導加加熱調理器。
【発明の詳細な説明】
【技術分野】
【０００１】
本発明は、食品等を本体内に収容して加熱調理する電磁誘導加熱調理器に関するものである。
【背景技術】
【０００２】
従来の電磁誘導加熱調理器は、加熱用鍋を非磁性金属のアルミニウム材等を母材として、その外側に磁性金属のフェライト系ステンレス鋼板等を合わせたクラッド板を鍋形状にプレス加工し、その後鍋の内側表面にフッ素樹脂コーティングなどの表面処理を施した構成が一般的であった。更に鍋内の調理物に良好な対流を起こし均一な加熱を実現することを目的として、前記磁性金属の外側に複数の凹凸を設け、この凹凸加工の凸部に誘導加熱コイルの磁力線を集中させ凸部の発熱を強め、凹凸部の温度差により鍋内側に細かい対流を複数発生させて、調理物の対流を活発化させ均一加熱を実現するものが知られている。（例えば、特許文献１参照）
【０００３】
【特許文献１】特許３４７７９５１号公報（第４頁、第１図）
【発明の開示】
【発明が解決しようとする課題】
【０００４】
しかしながら、従来の電磁誘導加熱調理器は、複数の凹凸加工により発生する細かい対流が隣どおしで相互に打ち消しあい、大きな対流を発生させるまでは至らなかった。例えば炊飯器の場合、米はその性質から約６０℃を超えると糊化が始まり、糊化が始まると水分の粘りが増すために対流が起こり難くなり、細かい対流では糊化が始まった米の対流に寄与するまでは至らず、米の下層部と上層部に加熱ムラが生じ、炊きムラが残ってしまうといった課題があった。また凹凸加工に要する加工工程を追加するため工程が複雑になり、鍋の製造コストが高くなるといった課題があった。
【０００５】
本発明は、上述のような課題を解決するためになされたもので、糊化が始まった粘性が高い食品においても、大きな対流を促進し、均一な加熱を実現すると共に、製造コストを抑えた電磁誘導加熱調理器を提供することを目的とする。
【課題を解決するための手段】
【０００６】
本発明に係る電磁誘導加熱調理器は、本体と、本体内に着脱自在に収納され、食品を加熱調理する鍋状容器と、本体の下部に配置され、鍋状容器に渦電流を誘起して鍋状容器を加熱する加熱コイルとを備える電磁誘導加熱式調理器において、鍋状容器は、炭素９５％〜１００％の焼結体を基材として構成したことを特徴とする。
【発明の効果】
【０００７】
本発明によれば、調理鍋状容器を、その殆どを熱伝導が良好な炭素材質を圧縮して高温により焼結し、材質の固有抵抗（Ω・ｍ）を電磁誘導に適した基材で構成することにより、炭素の高熱伝導により短時間で容器の温度が均一に加熱される。さらに、焼結体の特徴である基材中に残る微細孔によって、沸騰時に多くの激しい気泡が発生し、この気泡の上昇によって糊化した米の抵抗を突き破り上面への対流を発生させる。これにより米全体の温度が均一化され、炊きムラの無い美味しいご飯に仕上げることができる。また、炭の持つ浄化作用により水の中の不純物が浄化され美味しい炊飯が可能となる。さらに、保温運転時も容器の高熱容量性から少消費電力で保温可能となると共に、脱臭・殺菌作用により、臭い移りの無い長時間保温が可能となる。
【発明を実施するための最良の形態】
【０００８】
以下、本発明に係る電磁誘導加熱調理器の好適な実施の形態について添付図面を参照して説明する。
実施の形態１．
図１は、実施の形態１に係る電磁誘導加熱調理器の構造を示す断面図である。また、図２は、実施の形態１に係る電磁誘導加熱調理器の駆動回路を示す図である。
【０００９】
図１，２において、１は本体、２はこの本体１に内装固着された容器カバー、３はこの容器カバー２の外壁部に設けられた電磁誘導加熱用の加熱コイルで、３ａは外底部に設けられた第一加熱コイル、３ｂは外底部コーナー部に設けられた第二加熱コイルで、各々のコイルはスパイラル状に旋回され直列に接続され、高周波電流が供給される。４は容器カバー２の底中央部に形成した孔部に貫通して設けられた温度センサで、圧縮バネ４ａにより下方から支持される。
【００１０】
５は前記容器カバー２に着脱自在に内装される炭素焼結鍋（鍋状容器）であり、外底部中央は前記温度センサ４と接触する。この鍋状容器の材質は、熱伝導が良好な炭素９５％〜１００％の焼結体を基材として構成し、内側にはフッ素コーティング等が施してある。また、焼結体は比較的割れ易いため、従来の金属系容器の板厚に対して略２〜５倍の板厚である４〜１０ｍｍで構成している。このため、焼結体を基材とした炭素焼結鍋５であっても十分な強度が得られる。さらに、この炭素焼結鍋５の比重は、略１．７ｇ／ｃｍ３前後と金属系容器に対して軽量であり、且つ同寸法のアルミニウムは１．５倍、鉄は４．３倍、銅は４．８倍の重量となり、略２〜５倍の板厚で従来の金属系容器と同等の重量となる。
【００１１】
また、炭素は非磁性のため比透磁率が１であり、鍋への投入電力を上げるには、以下の式より抵抗率ρ（Ωｍ）を高くする必要がある。
【００１２】
【数１】
2006095283.tif 000003
【００１３】
Ｐ：鍋投入電力、  Ｎ：加熱コイル巻き数、  ρ：抵抗率
ｆ：周波数、  μ：比透磁率、  Ｉ：コイル電流
抵抗率は、非磁性である１８−８ステンレスの抵抗率（７．２×１０-7）以上を設定することにより炭素でも電磁誘導加熱が可能となる。
【００１４】
６は容器カバー２の上方フランジ部に例えば三箇所凸部で形成された支持部材で、炭素焼結鍋５が係止される。７は炭素焼結鍋５を覆う内蓋で、周縁部に配置されたシール材である蓋パッキン８により炭素焼結鍋５のフランジ部との密閉性を得る。９はこの内蓋７を覆い係止材１０で連結された外蓋で、本体１に開閉自在に係止されている。１１は内蓋７、外蓋９を貫通して設けられた蒸気口で、容器内弁１１ａと外部弁１１ｂによって構成される。１２は前記外蓋９の一部に設けられた操作／表示部である。さらに、２０は加熱コイル３に高周波電流を供給するインバータ回路、２１はインバータ回路２０を駆動制御する制御部である。
【００１５】
次に、図１，２を用いて、本実施の形態の動作について説明する。始めに所定量の米を炭素焼結鍋５内に入れた後、米量に応じた水を入れる。その後、炭素焼結鍋５を容器カバー２に載置し外蓋９を閉めると、内蓋７の蓋パッキン８が炭素焼結鍋５のフランジ部に圧接されて密閉シールされる。操作／表示部１２から炊飯工程スイッチをオンして炊飯工程がスタートする。
【００１６】
加熱コイル３ａ，３ｂには、インバータ回路２０から高周波電流が供給され、高周波磁界が発生し、加熱コイル３ａ，３ｂと磁気結合した炭素焼結鍋５の加熱コイル対向面が励磁され、容器底面に渦電流が誘起される。この渦電流と炭素焼結鍋５の持つ抵抗によりジュール熱を生じ、鍋底面が発熱して加熱が行われる。炭素焼結鍋５は、抵抗率略７．２×１０-7以上の高抵抗を有しているため、電磁誘導加熱が可能となる。炭素で構成された炭素焼結鍋５は、一般に熱伝導率が高いアルミニウム（２４０Ｗ／ｍＫ）に対して略２倍炭素の高熱伝導特性を持つため、短時間に容器の温度が均一に上昇し、その結果、米に対して均一に効率よく加熱が行われる。
【００１７】
また、炭素焼結体は、素材内部に略１０〜５０μｍの多数の気孔を有しているため、炭素焼結鍋５の内面温度が略１００℃近くに到達すると、気孔から多数の気泡が発生する。図４（ａ）は炭素で構成された炭素焼結鍋５の断面図、図４（ｂ）は従来の金属系容器の断面図を示し、炭素で構成された炭素焼結鍋５の気泡発生量は従来の金属系容器に比べ格段に多く、沸騰時の揺動が激しい状態となる。この気泡は直上の米と水へと伝わり、糊化して粘性が高まった米の抵抗を突き破り、上層に対流する。
【００１８】
一度対流すると米が動いて押しのけられ、熱水及び気泡の通り道を形成し、以後激しく底部から上部へ対流する。この対流経路は炊き上がり後も穴となって残り、いわゆる「カニ穴」となる。また、対流経路付近にある米粒は経路の抵抗を少なくする方向へと向き、「ご飯が立つ」方向へと向きを変える。その結果、美味しいご飯を炊き上げる要件である「複数のカニ穴があり、ご飯が立つ」といった炊飯を再現することが可能となる。加えて炭の持つ浄化作用により、水の中の不純物が浄化され、美味しいご飯の炊飯が可能となる。
【００１９】
かくして、炭素焼結鍋５内の水が無くなり、急激に温度上昇すると、この温度上昇を検出する温度センサ４はその信号を制御部２１に入力し、制御部２１は加熱コイル３への通電を停止する。その後、炭素焼結鍋５の温度が保温状態を保つ所定温度まで低下すると、制御部２１は、再び加熱コイル３への断続通電を行うが、炭素焼結鍋５の厚みによって熱容量が大きく、放熱が少なくなることから、少ない通電量で保温を保つことができ、省エネ効果が発揮される。また、炭の持つ脱臭効果により保温時の臭いが低減されるので、長時間の保温が可能となる。
【００２０】
以上のように、炭素焼結鍋５を電磁誘導加熱に好適な、厚さ、抵抗率の炭素材で構成することにより、炭素の持つ高熱伝導性、低比重、高熱容量性、また多気孔性、更には炭の持つ脱臭効果、浄化・殺菌効果により、容器内の均一な温度上昇と沸騰時の多量の気泡による対流促進により、米と水を均一に加熱し炊きムラを無くし、加えて水の浄化作用により美味しい炊飯が可能となる。また保温運転時も容器の高熱容量性から少消費電力で保温可能となると共に、脱臭・殺菌作用により、臭い移りの無い長時間保温が可能となる。
【００２１】
なお、本実施の形態では、加熱コイル３を第一と第二コイルに分割して説明したが、底面に一括設置しても同様の効果が得られる。また温度センサ４を炭素焼結鍋５の外底部に接触させて配置したが、これは例えば非接触赤外線センサ等によって水温、及び米温度を直接計測しても良い。
【００２２】
実施の形態２．
次に、実施の形態２に係る電磁誘導加熱調理器を説明する。図４は炭素焼結鍋５の断面図、図５は炭素焼結鍋５の要部を示す部分断面図、図６は炭素焼結鍋５の斜視図である。この実施の形態２が図１に示す実施の形態１と異なるのは、炭素焼結鍋５内に一体となった突起物を備えている点である。その他の構成については実施の形態１と同一または同等であり、実施の形態１と同一又は同等な構成部分については同一の符号を付し説明を省略する。
【００２３】
１３は、炭素焼結鍋５の鍋内底部で、且つ第一加熱コイル３ａ設置部と対向した位置に設けた断面が円錐状のリング突起（連続凸部）である。このリング突起は、炭素焼結鍋５の鍋底形状と略相似形を成す。従って、本実施の形態では、炭素焼結鍋５が円状のため、このリング突起１３も円状に形成し、その直径ΦＡは、炭素焼結鍋５の内側直径ΦＢに対して１／２〜１／４の範囲に設定される。更に断面円錐状の突起は、図５（ａ）に示すように、底面に対して円錐状の裾野が広がる様なＲ面を構成することが好適である。
【００２４】
次いで、その動作について図５を用いて説明する。図５（ａ）は、リング突起１３を有する時の気泡の発生と離脱状況、これに対し、図５（ｂ）は、リング突起１３が無いときの気泡の発生と離脱状況を示す模式図である。まず、図５（ｂ）の場合、底面から発生した細かい気泡は、中央部付近に近い底面の場合各々独立して底面から離脱し、側面に近い底面の場合底面のコーナーＲに沿って移動しながら成長して側面に沿って上昇する。この場合、側面を沿う対流が大きく、中央付近の上昇対流の数は多いが、大きな対流は発生しない。
【００２５】
これに対して、図５（ａ）のリング突起１３を有するものは、中央付近で発生した気泡が、リングの内側と外側から断面円錐状の裾野に沿って移動しながら成長して大きな気泡となり、最終的に断面円錐状の先端部から離脱する。この場合リング突起１３の直径ΦＡから大きな気泡が離脱するため、側面対流と中央付近の対流が同時に発生し、米と水はより一層均一化される。また、リング突起１３上方部から気泡が上昇するため、この円周に沿って「カニ穴」が形成される。実施の形態１の場合、基本的にカニ穴がランダムに発生するのに対して、カニ穴発生場所を制御可能にすることにより、より確実にカニ穴が形成されるため、常に美味しいご飯が炊けることになる。この時、カニ穴発生場所は、炭素焼結鍋５の内側直径ΦＢに対して、１／２〜１／４の範囲に設定すると容器内の熱伝達から均一な炊飯が可能となる。
【００２６】
更に、図６に基づいて、他の例を説明する。図６（ａ）は、炭素焼結鍋５の鍋内底部に環状に形成されたリング突起（連続凸部）１３を示す斜視図、図６（ｂ）は、炭素焼結鍋５の鍋内底部にリング状に配置された複数の独立突起（独立凸部）１３ａを示す斜視図である。そして、リング突起１３は、炭素焼結鍋５の鍋底形状と略相似形に形成され、複数の独立突起１３ａは、炭素焼結鍋５の鍋底形状と略相似形に配設されている。
【００２７】
このように、リング突起１３および独立突起１３ａを鍋底形状と略相似形に形成（配設）することにより、炭素焼結鍋５の側面から等間隔の位置に気泡を発生させることができ、側面近傍の対流が促進され、米と水はより一層均一化される。さらに、この独立突起１３ａの場合は、限られた突起の先端から気泡が成長離脱するために、リング突起１３よりも更にカニ穴を発生させる場所を制限でき、確実にカニ穴を生成でき、美味しい炊飯が可能となる。
【００２８】
なお、このリング突起１３、及び独立突起１３ａは、通常の金属系鍋においても適用可能であるが、気泡発生量の違いと加工の煩わしさから、炭素を用いた炭素焼結鍋に適用することが高い効果を奏することは言うまでもない。また、リング突起１３は、一重のリングで説明したが、多重のリングで構成すれば、多重の「カニ穴」ができるので、さらに優れた効果が得られる。
【００２９】
実施の形態３．
次に、実施の形態３に係る電磁誘導加熱調理器を説明する。図７は、炭素焼結鍋５の構造を示す断面図である。また、図８は、蓋状プレート１５の構造を示す断面図である。この実施の形態３が図１に示す実施の形態１と異なるのは、炭素焼結鍋５内に気泡プレート１４または蓋状プレート１５を備えている点である。その他の構成については実施の形態１と同一または同等であり、実施の形態１と同一又は同等な構成部分については同一の符号を付し説明を省略する。
【００３０】
気泡プレート１４は、炭素焼結鍋５の略中央底面に着脱自在に装着された耐熱性を有しており、炭素焼結鍋５の鍋底形状と略相似形を成し、鍋内底部で且つプレート周縁が加熱コイル３設置部と対向した位置に配設される。１４ａはこの気泡プレート１４の下面に設けられた係止凸部で、炭素焼結鍋５の鍋底形状に設けられた凹部に係止凸部が嵌り込むことにより、気泡プレート１４は炭素焼結鍋５に係止される。蓋状プレート１５は、この気泡プレート１４と別形状を成すもので、下面が開放された蓋状容器形状で形成され、且つ周縁部の壁部には、複数の連通孔が形成されている。
【００３１】
図７，８を用いて動作を説明する。気泡プレート１４は、炭素焼結鍋５の内底面に設置される。沸騰が始まると炭素焼結鍋５の気泡プレート１４に覆われた面からの気泡は気泡プレート１４に阻まれて上部に上昇出来ない。発生気泡は気泡プレート１４下面を伝わり周縁部から成長して大きな気泡となって放出される。従って、気泡プレート１４の周縁部から大きな対流が発生し、実施の形態２で述べた様な「カニ穴」が円周状に発生して、美味しい炊飯が実現できる。さらに、図８の蓋状プレート１５では、気泡が蓋状プレート内に一旦溜り、連通孔１５ａから大きな気泡となって図中矢印の方向に一気に噴出するため、「カニ穴」発生場所を制御できると共に、確実に「カニ穴」を生成でき、美味しい炊飯が実現できる。
【００３２】
また、本実施の形態は、気泡プレート１４面上に発生する気泡が極めて少なくなる代わりに、気泡プレート１４の下面で発生する気泡が全てプレート周縁から放出されるため、気泡の纏まり量が多くなり、確実に「カニ穴」を形成することができる。さらに、気泡プレート１４および蓋状プレート１５を鍋底形状と略相似形に形成することにより、炭素焼結鍋５の側面から等間隔の位置に気泡を発生させることができる。その結果、側面近傍の対流が促進され、米と水はより一層均一化されるので、美味しい炊飯が実現できる。
【００３３】
実施の形態４．
次に、実施の形態４に係る電磁誘導加熱調理器を説明する。図９は、炭素焼結鍋５の構造を示す断面図である。この実施の形態４が図１に示す実施の形態１と異なるのは、炭素焼結鍋５の鍋外底部にリング状の凹部溝（連続凹部）１６を備えている点である。その他の構成については実施の形態１と同一または同等であり、実施の形態１と同一又は同等な構成部分については同一の符号を付し説明を省略する。
【００３４】
凹部溝１６は、炭素焼結鍋５の鍋底形状と略相似形で、且つプレート周縁が加熱コイル３の設置部と対向した位置の鍋外底部に、例えば、炭素焼結鍋５の板厚の１／３〜１／２の溝として形成されている。
【００３５】
図９を用いて動作を説明する。凹部溝１６を加熱コイル３と対向させて設けることにより、発熱面積が増加すると共に、磁力線の性質上、磁力線は凹部加工を形成するコーナー部の凸部に集中する。従って凸部の発熱が強まると共に、凹部は肉厚が薄いため、他部よりも早く発熱が伝わり加熱される。これにより凹部溝１６の上部から多くの気泡が発生し、同図に示したように、凹部溝１６の上部から大きな対流が形成される。その結果、実施の形態２で述べたような「カニ穴」が円周状に形成され、美味しい炊飯が実現できる。
【００３６】
また、炭素焼結鍋５の外面に凹部溝１６を設けることにより、炭素焼結鍋５の内面に凹凸部を設ける構成に比べて、米等の食品に対する清掃性が向上する。さらに、さらに、凹部溝１６を鍋底形状と略相似形に形成することにより、炭素焼結鍋５の側面から等間隔の位置に気泡を発生させることができる。その結果、側面近傍の対流が促進され、米と水はより一層均一化されるので、美味しい炊飯が実現できる。
なお、本実施の形態では、連続的な凹部溝１６を例に述べたが、リング状に独立した複数の独立凹部を設けても良いし、また、凹部溝１６を多重に構成しても同様の効果が得られる。
【００３７】
実施の形態５．
次に、実施の形態５に係る電磁誘導加熱調理器を説明する。図１０は、炭素焼結鍋５を載置した場合の電磁誘導加熱調理器の構造を示す断面図、図１１は、磁性金属鍋（鍋状容器）５ａを載置した場合の電磁誘導加熱調理器の構造を示す断面図である。この実施の形態５が図１に示す実施の形態１と異なるのは、電磁誘導加熱調理器に用いられる厚さ１ｍｍ〜２ｍｍ程度の一般的な磁性金属鍋と、前記４ｍｍ〜１０ｍｍの炭素焼結鍋とが、同一本体に各々着脱自在に収納可能な内蓋支持構造を有している点である。その他の構成については、実施の形態１と同一または同等であり、実施の形態１と同一又は同等な構成部分については同一の符号を付し説明を省略する。
【００３８】
１７は、外蓋９と内蓋７の二重構造とし、この外蓋９と内蓋７との間隙に配した内蓋バネである。この内蓋バネ１７により、外蓋９に対し内蓋７は上下可動可能となり、この内蓋７の上下可動により、厚さの異なる鍋材によっても密閉構造を維持できる。
【００３９】
図１０，１１を用いて動作を説明する。図１０は板厚４ｍｍ〜１０ｍｍの炭素焼結材で形成した炭素焼結鍋５を載置した図であり、容器５のフランジ部が厚いため、内蓋バネ１７が圧縮されて、フランジ部と蓋パッキン８が密閉される。図１１は板厚１ｍｍ〜２ｍｍ程度の一般的な磁性金属鍋５ａを載置した図であり、内蓋バネ１７が伸張した状態で、フランジ部と蓋パッキン８が密閉される。このように厚さの異なる炭素焼結鍋５と磁性金属鍋５ａとを、密閉構造を保ちつつ同一本体１に各々着脱自在に収納可能としたことにより、例えば、一つの本体１に対し板厚の異なる複数種類の鍋を同梱可能であり、鍋の使いまわしや炊き分けが可能となり使い勝手が向上する。
【００４０】
実施の形態６．
次に、実施の形態６に係る電磁誘導加熱調理器を説明する。図１２は炭素焼結鍋５と磁性金属鍋５ａの形状高さを示す断面図、図１３は磁性金属鍋５ａの外観を示す斜視図である。この実施の形態６が図１に示す実施の形態１と異なるのは、炭素焼結鍋５のフランジ部に切り欠き部１８が形成されている点である。その他の構成については実施の形態１と同一または同等であり、実施の形態１と同一又は同等な構成部分については同一の符号を付し説明を省略する。
【００４１】
図１２に示す様に、フランジ部を含む炭素焼結鍋５の高さ（Ｃ）と磁性金属鍋５ａの高さ（Ｄ）を同一に形成する。切り欠き部１８は、容器カバー２の上部に設けられた凸状の支持部材６と当接部に位置する炭素焼結鍋５のフランジ部に形成され、支持部材６と同数設けられる。本実施の形態では３箇所設けられている。
【００４２】
図１２，１３を用いて動作を説明する。図１２（ｂ）に示すように、磁性金属鍋５ａはこの支持部材６の上に載置される。炭素焼結鍋５は、切り欠き部１８と支持部材６の位置を合わせて載置することにより、炭素焼結鍋５のフランジ部は容器カバー２の上端と直接接触して設置される。支持部材６の高さ（３ｍｍ〜８ｍｍ程度）及び磁性金属鍋５ａの板厚（１ｍｍ〜２ｍｍ程度）を合わせた厚さと、炭素焼結鍋５の板厚（４ｍｍ〜１０ｍｍ）とを略等しくすることで、各々の鍋を載置した時に高さが略同一となるため、内蓋７を閉めた時に鍋のフランジ部が蓋パッキン８により確実に密閉される。
【００４３】
このように、厚さの異なる炭素焼結鍋５と磁性金属鍋５ａとを、密閉構造を保ちつつ、同一の本体１に各々着脱自在に収納可能としたことにより、例えば、一つの本体１に対し板厚の異なる複数種類の鍋を同梱可能であり、鍋の使いまわしや炊き分けが可能となり使い勝手が向上する。
また、炭素焼結鍋５のフランジ部の一部を切り欠いて、内蓋７との間隔を調整しているので、内蓋７を上下可動可能にしなくても、鍋内の密閉性が十分に確保される。
【００４４】
実施の形態７．
次に、実施の形態７に係る電磁誘導加熱調理器を説明する。図１４は、操作／表示部１２の細部を示す図である。この実施の形態７が図１に示す実施の形態１と異なるのは、炭素焼結鍋５に対応した炭釜炊飯スイッチ（第１の炊飯スイッチ）１２ａと、磁性金属鍋５ａに対応した普通炊飯スイッチ（第２の炊飯スイッチ）１２ｂとを備えている点である。その他の構成については実施の形態１と同一または同等であり、実施の形態１と同一又は同等な構成部分については同一の符号を付し説明を省略する。
【００４５】
炭釜炊飯スイッチ１２ａは、炭素焼結鍋５を載置した時に選択するスイッチであり、普通炊飯スイッチ１２ｂは、磁性金属鍋５ａを載置した時に選択するスイッチである。このように、炭素焼結鍋５と磁性金属鍋５ａ用のスイッチを各々設けることにより、制御部２１は、炭釜炊飯スイッチ１２ａと普通炊飯スイッチ１２ｂとの出力信号に基づいて、それぞれの鍋に最適な駆動周波数で誘導加熱制御を行うことができる。
【００４６】
例えば、炭釜炊飯時には、磁性金属鍋５ａを誘導加熱する駆動周波数に比べて、１．５〜２倍の高い駆動周波数で誘導加熱制御することにより、鍋投入電力が増加し、好適な炊飯が可能となる。他の方法として、電流を増すためにコイル電圧を上昇させる等、炭素焼結鍋５への投入電力を増やす制御を行うことが可能となる。また、熱伝導率が高いために給水工程を短くしたり、保温時の投入電力の低減制御等、より効率の良い炊飯工程、保温工程が可能となり、美味しい炊き上がりと省エネを実現できる。
【００４７】
なお、炭釜炊飯スイッチ１２ａと普通炊飯スイッチ１２ｂとの代わりに、炭素焼結鍋５と磁性金属鍋５ａのいずれか一方を選択する選択スイッチと、炊飯スイッチとを設けてもよい。この場合にも、炭素焼結鍋５と磁性金属鍋５ａのいずれが載置されていたかを選択スイッチで選択できるので、炊飯スイッチで炊飯処理を行う際には、制御部２１は、選択スイッチの出力信号に基づいて、それぞれの鍋に最適な駆動周波数で誘導加熱制御することができる。例えば、炭釜炊飯時には、磁性金属鍋５ａを誘導加熱する駆動周波数に比べて、１．５〜２倍の高い駆動周波数で誘導加熱制御することにより、鍋投入電力が増加し、好適な炊飯が可能となる。
【００４８】
実施の形態８．
次に、実施の形態８に係る電磁誘導加熱調理器を説明する。図１５は、操作／表示部１２の細部を示す図であり、図１６は、駆動回路を示す図である。この実施の形態８が図１４に示す実施の形態７と異なるのは、炭釜炊飯スイッチ１２ａと普通炊飯スイッチ１２ｂとの代わりに、炭素焼結鍋５と磁性金属鍋５ａのいずれが本体１に収納されたか判定する鍋判定部（鍋判定手段）２２と、炊飯スイッチ１２ｃとを備えている点である。その他の構成については実施の形態７と同一または同等であり、実施の形態７と同一又は同等な構成部分については同一の符号を付し説明を省略する。
【００４９】
炊飯スイッチ１２ｃは、炭素焼結鍋５と磁性金属鍋５ａ兼用のスイッチである。炊飯スイッチ１２ｃがオンされると、鍋判定部２２が自動的に炭素焼結鍋５か磁性金属鍋５ａかを判定して、判定結果信号を制御部２１に送る。制御部２１では、この判定結果信号に基づいて、それぞれの鍋に最適な駆動周波数で誘導加熱制御を行う。鍋判定部２２での鍋の判定方法は、例えば一定の駆動周波数で動作させた時のコイル電流の違いでも良いし、実施の形態５であれば内蓋７の上下位置の違い、また実施の形態６であれば支持部材６へ掛かる圧力の違いを検出してもよい。
【００５０】
このように、炭素焼結鍋５と磁性金属鍋５ａのいずれが載置されていたかを鍋判定部２２で判定できるので、炊飯スイッチ１２ｃで炊飯処理を行う際には、制御部２１は、鍋判定部２２の判定結果信号に基づいて、それぞれの鍋に最適な駆動周波数で誘導加熱制御することができる。例えば、炭釜炊飯時には、磁性金属鍋５ａを誘導加熱する駆動周波数に比べて、１．５〜２倍の高い駆動周波数で誘導加熱制御することにより、鍋投入電力が増加し、好適な炊飯が可能となる。また、鍋判定手段で自動的に鍋部材を判定しているため、使用者による入力間違いを防止することができる。
【００５１】
実施の形態９．
次に、実施の形態９に係る電磁誘導加熱調理器を説明する。図１７は鍋状容器の構造を示す断面図である。この実施の形態９が図１に示す実施の形態１と異なるのは、鍋状容器としてクラッド鍋（鍋状容器）１９を用いている点である。その他の構成については実施の形態１と同一または同等であり、実施の形態１と同一又は同等な構成部分については同一の符号を付し説明を省略する。
【００５２】
クラッド鍋１９は、フェライト系ステンレス鋼板等の磁性金属の外層１９ａを母材として、その内側に炭素９５％〜１００％の炭素焼結材の内層１９ｂを組み合わせたクラッド材からなり、磁性金属の外層１９ａの厚さを０．４〜１．０ｍｍ、炭素焼結材の内層１９ｂの厚さを外層１９ａに対して略１／２倍〜３倍としたクラッド材として構成した。その後、クラッド鍋１９の内側表面にフッ素樹脂コーティングなどの表面処理を施している。
【００５３】
この構成によれば、クラッド鍋１９の内側に配置した、炭素の高熱伝導により短時間で容器の温度が均一に加熱されることに加え、焼結体の特徴である基材中に残る微細孔によって、沸騰時に多くの激しい気泡が発生し、この気泡の上昇によって糊化した米の抵抗を突き破り、上面への対流を発生させる。板厚については金属系の基材が厚い場合は略１／２程度の炭素焼結材とし、金属系が薄い場合は、略３倍程度の炭素焼結材で構成することにより、全体的な厚さを抑えつつ、炭素焼結材による気泡を好適に生成することができる。
【００５４】
その結果、米全体の温度が均一化され、炊きムラの無い美味しいご飯に仕上げることができる。また、炭の持つ浄化作用により水の中の不純物が浄化され美味しい炊飯が可能となる。さらに、保温運転時も容器の高熱容量性から少消費電力で保温可能となると共に、脱臭・殺菌作用により、臭い移りの無い長時間保温が可能となる。
【００５５】
なお、磁性金属の外層１９ａの代わりに、プラスチック材の外層を用いてもよい。プラスチック材の外層によって十分な強度が得られると共に、鍋全体の軽量化を図ることができる。そして、内層の炭素焼結材によって電磁誘導加熱を行うことにより、炭素焼結材から多くの気泡が発生し、炊きムラの無い美味しいご飯に仕上げることができる。
また、磁性金属の外層１９ａと炭素焼結材の内層１９ｂとを組み合わせたクラッド材は、鍋の底部だけに用い、側部は磁性金属のみで構成してもよい。上面への対流の発生に寄与するのは、主に底部で発生した気泡なので、底部のみに炭素焼結材を用いた構成であっても、十分な対流が得られ、炊きムラの無い美味しいご飯に仕上げることができる。
さらに、鍋の底部は炭素焼結材のみで構成し、鍋の側部は磁性金属のみで構成してもよい。この場合にも、底部で発生する気泡によって十分な対流が得られるので、炊きムラの無い美味しいご飯に仕上げることができる。また、鍋全体を炭素焼結材のみで構成するのに比べて、高い強度が得られる。
【００５６】
実施の形態１０．
次に、実施の形態１０に係る電磁誘導加熱調理器を説明する。図１８は、鍋状容器の構造を示す断面図であり、図１９は、駆動回路を示す図である。この実施の形態１０が図１に示す実施の形態１と異なるのは、安全弁３０と調圧部（調圧手段）３１とが内蓋７に設けられている点と、調圧部３１が制御手段２１によって制御されている点である。その他の構成については実施の形態１と同一または同等であり、実施の形態１と同一又は同等な構成部分については同一の符号を付し説明を省略する。
【００５７】
図１８に示すように、安全弁３０は、内蓋７を貫通する通気孔３０ａと、この通気孔３０ａを開閉する弁部３０ｂとを備え、炭素焼結鍋５内部の圧力が所定以上の場合に、弁部３０ｂが開き、通気孔３０ａを開放させる。その結果、炭素焼結鍋５内部の圧力が異常に高くなるのを防止できる。
また、調圧部３１は、内蓋７を貫通する通気孔３１ａと、この通気孔３１ａを開閉する調圧ボール（調圧弁）３１ｂと、調圧ボール３１ｂを横方向に摺動させるソレノイド３１ｃとを備えている。そして、ソレノイド３１ｃの駆動により、調圧ボール３１ｂが左右に摺動し、通気孔３１ａを開閉制御することができる。この開閉制御によって、炭素焼結鍋５内部の圧力を調整できる。
【００５８】
次に、図２０のフローチャートを用いて、本実施の形態の動作について説明する。始めに所定量の米を炭素焼結鍋５内に入れた後、米量に応じた水を入れる。その後、炭素焼結鍋５を容器カバー２に載置し外蓋９を閉めると、内蓋７の蓋パッキン８が炭素焼結鍋５のフランジ部に圧接されて密閉シールされる。操作／表示部１２から炊飯工程スイッチをオンして炊飯工程がスタートする（Ｓ１００）。
【００５９】
加熱コイル３ａ，３ｂには、インバータ回路２０から高周波電流が供給され、高周波磁界が発生し、加熱コイル３ａ，３ｂと磁気結合した炭素焼結鍋５の加熱コイル対向面が励磁され、容器底面に渦電流が誘起される。この渦電流と炭素焼結鍋５の持つ抵抗によりジュール熱を生じ、鍋底面が発熱して加熱が行われる。なお、炭素焼結鍋５を加熱させる際には、予め、制御部２１の制御に基づいて、ソレノイド３１ｃを駆動させて、調圧ボール３１ｂを横方向に摺動させており、この摺動により、通気孔３１ａは開放されているものとする。
【００６０】
炭素焼結鍋５の加熱により、鍋底面の温度がＴ１（例えば、１００℃）まで上昇した場合（Ｓ１０１）、温度センサ４から伝送される鍋底面の温度の測定値に基づいて、制御部２１は、ソレノイド３１ｃを駆動させる。ソレノイド３１ｃの駆動によって、調圧ボール３１ｂは横方向に摺動し、通気孔３１ａを閉鎖させる。また、制御部２１は、インバータ回路２０の動作を停止（または低下）させ、炭素焼結鍋５の加熱を中断して、炭素焼結鍋５内部の温度を低下させる（Ｓ１０２）。この炭素焼結鍋５内部の温度低下により、炭素焼結鍋５内部は減圧される。
【００６１】
炭素焼結鍋５の素材は、多数の気孔を有する多孔質性を有するので、図２１に示すように、炭素焼結鍋５内部の減圧によって、多数の気孔に蓄えられた空気が気泡となって鍋内に多数出現する。この気泡によって、炭素焼結鍋５内部の水と米が攪拌され、感度分布が均一化される。このため、炭素焼結鍋５内部の温度分布も均一化され、均一な炊飯が実現される。
【００６２】
次に、鍋底面の温度が、Ｔ２（例えば、９０℃）に降下した時点で（Ｓ１０３）、制御部２１は、ソレノイド３１ｃを駆動させて、調圧ボール３１ｂを横方向に摺動させる。この摺動により、通気孔３１ａは開放され、炭素焼結鍋５内部の圧力が上昇する。その後、制御部２１は、炭素焼結鍋５の加熱を再開させて（Ｓ１０４）、通常の炊飯工程に移行する（Ｓ１０５）。
【００６３】
以上のように、本実施の形態は、炭素焼結鍋５内部を減圧制御しているので、炭素焼結鍋５の内面に設けられた多数の気孔から気泡が鍋内に出現し、この気泡によって、炭素焼結鍋５内部の水と米が攪拌され、感度分布が均一化される。このため、炭素焼結鍋５内部の温度分布も均一化され、均一な炊飯が実現される。
なお、減圧制御による攪拌処理（Ｓ１０１からＳ１０４までの処理）は、複数回行ってもよい。また、調圧ボール３１ｂおよびソレノイド３１ｃの代わりに小型のポンプを設けて、炭素焼結鍋５内部の空気をポンプで抜き出して、炭素焼結鍋５内部を減圧してもよい。この場合にも、多数の気孔から気泡が鍋内に出現させることができ、感度分布が均一化および温度分布も均一化が図れ、均一な炊飯が実現される。
【００６４】
実施の形態１１．
次に、実施の形態１１に係る電磁誘導加熱調理器を説明する。図２２は、容器カバー２の外観を示す斜視図である。この実施の形態１１が図１２に示す実施の形態６と異なるのは、容器カバー２上端の縁部に複数のストッパー３２が設けられている点である。その他の構成については実施の形態６と同一または同等であり、実施の形態６と同一又は同等な構成部分については同一の符号を付し説明を省略する。
【００６５】
図２２に示すように、容器カバー２上端の縁部には、３個のストッパー３２が上下動自在に配置されている。これらのストッパー３２の上部には、炭素焼結鍋５（又は磁性金属鍋５ａ）のフランジ部を押圧するゴム製のヘッド部（滑り止め部材）３２ａが設けられている。また、ストッパー３２の下端には、ストッパー３２を上方に付勢するバネ材３３が設けられている。このバネ材３３の付勢力によって、ストッパー３２は、炭素焼結鍋５（又は磁性金属鍋５ａ）のフランジ部を下から押圧する。
【００６６】
図２３は、容器カバー２の中に炭素焼結鍋５を収容した状態を示す断面図である。また、図２４は、容器カバー２の中に磁性金属鍋５ａを収容した状態を示す断面図である。これらの図面に示すように、ストッパー３２が上下動することにより、炭素焼結鍋５と磁性金属鍋５ａの鍋厚の違いが吸収される。このため、鍋厚の異なる複数の鍋が、容器カバー２内に選択的に収納可能となる。また、各ストッパー３２は、バネ材３３によって上方に付勢されているので、炭素焼結鍋５（又は磁性金属鍋５ａ）のフランジ部を下から押圧し、回動を抑制した状態で、炭素焼結鍋５（又は磁性金属鍋５ａ）を容器カバー２内に確実に固定することができる。
【００６７】
特に、ストッパー３２の上部には、ゴム製のヘッド部３２ａが設けられているので、炭素焼結鍋５（又は磁性金属鍋５ａ）のフランジ部と、ストッパー３２のヘッド部３２ａとの摩擦力が増加し、一層確実に、炭素焼結鍋５（又は磁性金属鍋５ａ）の回動を抑制することができる。
なお、ストッパー３２は、３個に限定されることはなく、炭素焼結鍋５（又は磁性金属鍋５ａ）を支持するのに適した所定の個数（４個，５個等）であればよい。また、各ストッパー３２を上方に付勢する手段としては、バネ材３３に限定されることはなく、ゴム材その他のいずれかの弾性部材であればよい。
【図面の簡単な説明】
【００６８】
【図１】実施の形態１に係る電磁誘導加熱調理器の構造を示す断面図である。
【図２】実施の形態１に係る電磁誘導加熱調理器の駆動回路を示す図である。
【図３】（ａ）は、実施の形態１に係る電磁誘導加熱調理器の鍋状容器の構造を示す断面図である。（ｂ）は、従来の金属系容器の構造を示す断面図である。
【図４】実施の形態２に係る電磁誘導加熱調理器の炭素焼結鍋の構造を示す断面図である。
【図５】実施の形態２に係る電磁誘導加熱調理器の炭素焼結鍋の要部を示す部分断面図である。
【図６】実施の形態２に係る電磁誘導加熱調理器の炭素焼結鍋の外観を示す斜視図である。
【図７】実施の形態３に係る電磁誘導加熱調理器の炭素焼結鍋の構造を示す断面図である。
【図８】実施の形態３に係る電磁誘導加熱調理器の蓋状プレートを示す断面図である。
【図９】実施の形態４に係る電磁誘導加熱調理器の炭素焼結鍋の構造を示す断面図である。
【図１０】実施の形態５に係る電磁誘導加熱調理器の炭素系鍋載置時の断面図である。
【図１１】実施の形態５に係る電磁誘導加熱調理器の金属系鍋載置時の断面図である。
【図１２】実施の形態６に係る電磁誘導加熱調理器の炭素焼結鍋と磁性金属鍋の形状高さを示す断面図である。
【図１３】実施の形態６に係る電磁誘導加熱調理器の炭素焼結鍋の外観を示す斜視図である。
【図１４】実施の形態７に係る電磁誘導加熱調理器の操作／表示部の細部を示す図である。
【図１５】実施の形態８に係る電磁誘導加熱調理器の操作／表示部の細部を示す図である。
【図１６】実施の形態８に係る電磁誘導加熱調理器の駆動回路を示す図である。
【図１７】実施の形態９に係る電磁誘導加熱調理器の鍋状容器の構造を示す断面図である。
【図１８】実施の形態１０に係る電磁誘導加熱調理器の鍋状容器の構造を示す断面図である。
【図１９】実施の形態１０に係る電磁誘導加熱調理器の駆動回路を示す図である。
【図２０】実施の形態１０に係る電磁誘導加熱調理器の動作を示すフローチャートである。
【図２１】実施の形態１０に係る電磁誘導加熱調理器の鍋状容器の構造を示す断面図である。
【図２２】容器カバーの外観を示す斜視図である。
【図２３】容器カバーの中に炭素焼結鍋を収容した状態を示す断面図である。
【図２４】容器カバーの中に磁性金属鍋を収容した状態を示す断面図である。
【符号の説明】
【００６９】
１…本体、２…容器カバー、３…加熱コイル、４…温度センサ、４ａ…圧縮バネ、５…炭素焼結鍋（鍋状容器）、５ａ…磁性金属鍋（鍋状容器）、６…支持部材、７…内蓋、８…蓋パッキン、９…外蓋、１０…係止材、１１…蒸気口、１２…操作/表示部、１２ａ…炭釜炊飯スイッチ、１２ｂ…普通炊飯スイッチ、１２ｃ…炊飯スイッチ、１３…リング突起（連続凸部）、１３ａ…独立突起（独立凸部）、１４…気泡プレート、１５…蓋状プレート、１６…凹部溝（連続凹部）、１７…内蓋バネ、１８…切り欠き部、１９…クラッド鍋（鍋状容器）、１９ａ…外層、１９ｂ…内層、２０…インバータ回路、２１…制御部、２２…鍋判定部（鍋判定手段）、３０…安全弁、３０ａ…通気孔、３０ｂ…弁部、３１…調圧部、３１ａ…通気孔、３１ｂ…調圧ボール（調圧弁）、３１ｃ…ソレノイド、３２…ストッパー、３２ａ…ヘッド部（滑り止め部材）、３３…バネ材。
【図１】
2006095283.tif 000004
【図２】
2006095283.tif 000005
【図３】
2006095283.tif 000006
【図４】
2006095283.tif 000007
【図５】
2006095283.tif 000008
【図６】
2006095283.tif 000009
【図７】
2006095283.tif 000010
【図８】
2006095283.tif 000011
【図９】
2006095283.tif 000012
【図１０】
2006095283.tif 000013
【図１１】
2006095283.tif 000014
【図１２】
2006095283.tif 000015
【図１３】
2006095283.tif 000016
【図１４】
2006095283.tif 000017
【図１５】
2006095283.tif 000018
【図１６】
2006095283.tif 000019
【図１７】
2006095283.tif 000020
【図１８】
2006095283.tif 000021
【図１９】
2006095283.tif 000022
【図２０】
2006095283.tif 000023
【図２１】
2006095283.tif 000024
【図２２】
2006095283.tif 000025
【図２３】
2006095283.tif 000026
【図２４】
2006095283.tif 000027
【手続補正書】
【提出日】平成17年12月9日(2005.12.9)
【手続補正１】
【補正対象書類名】特許請求の範囲
【補正対象項目名】請求項２２
【補正方法】変更
【補正の内容】
【請求項２２】
前記外層の厚さを０．４〜１．０ｍｍとすると共に、前記内層の厚さを、前記外層の厚さに比べて略１／２倍〜３倍としたことを特徴とする請求項２１記載の電磁誘導加熱調理器。